(57)【要約】      （修正有）【課題】放射性物質によって汚染された汚染土壌等を減容化する方法とその装置を提供する。【解決手段】核分裂性生成物含有物１３に水を加えて解砕しスラリ１９を生成する解砕洗浄槽３と、スラリに凝集剤２１を添加する凝集剤添加部５と、凝集剤が添加されたスラリが入れられる浮揚槽７と、浮揚槽に入っているスラリ内にマイクロバブル２３を発生させて浮上物２５を生成するマイクロバブル発生部９と、浮揚槽内に生成された浮上物を回収する浮上物回収部１１とを有する装置である。【選択図】図１
2015152333.tif 000002
【特許請求の範囲】
【請求項１】
核分裂性生成物を含んでいる核分裂性生成物含有物に水を加えて解砕しスラリを生成する解砕洗浄槽と、
前記スラリに凝集剤を添加する凝集剤添加部と、
前記凝集剤添加部で凝集剤が添加されたスラリが入れられる浮揚槽と、
前記浮揚槽に入っているスラリ内にマイクロバブルを発生させて浮上物を生成するマイクロバブル発生部と、
前記浮揚槽内に生成された浮上物を回収する浮上物回収部と、
を有することを特徴とする核分裂性生成物含有物凝縮装置。
【請求項２】
請求項１に記載の核分裂性生成物含有物凝縮装置において、
前記浮上物回収部で回収された浮上物を固形化する浮上物固形化部を有することを特徴とする核分裂性生成物含有物凝縮装置。
【請求項３】
請求項２に記載の核分裂性生成物含有物凝縮装置において、
前記浮上物固形化部で固形化された浮上物を乾燥し焼結固化する浮上物乾燥・焼結固化部を有することを特徴とする核分裂性生成物含有物凝縮装置。
【請求項４】
請求項１〜請求項３のいずれか１項に記載の核分裂性生成物含有物凝縮装置において、
前記凝集剤添加部での凝集剤の添加によって前記浮揚槽内に生成された沈殿物を回収する沈殿物回収部と、
前記沈殿物回収部で回収された沈殿物の放射線量を測定する沈殿物放射線量測定部と、
を有し、前記沈殿物放射線量測定部で測定をした結果、前記沈殿物の放射線量の値が所定の閾値以上である場合、前記沈殿物を前記解砕洗浄槽に再び入れ、前記沈殿物の放射線量の値が所定の閾値未満である場合、前記沈殿物を固形化するように構成されていることを特徴とする核分裂性生成物含有物凝縮装置。
【請求項５】
請求項１〜請求項４のいずれか１項に記載の核分裂性生成物含有物凝縮装置において、
前記浮揚槽のスラリの中間層には、前記解砕洗浄槽での解砕によって生成された複数の粒子が前記凝集剤添加部で添加された凝集剤によって凝集されていることで形成された凝集体であって前記マイクロバブル発生部が発生したマイクロバブルが付着している凝集体が存在しており、
前記浮揚槽内のスラリの中間層を回収するスラリ中間層回収部と、
前記スラリ中間層回収部で回収したスラリを凝縮するスラリ中間層凝縮部と、
前記スラリ中間層凝縮部で凝縮されたスラリから、フィルタを用いて前記凝集体を除去する凝集体フィルタ除去部と、
を有することを特徴とする核分裂性生成物含有物凝縮装置。
【請求項６】
請求項４または請求項５に記載の核分裂性生成物含有物凝縮装置において、
前記浮揚槽内には水中ロボットが設けられており、
前記水中ロボットには、前記沈殿物の一部の部位が発する放射線の値を測定する放射線モニタと、前記沈殿物の一部の部位を捕集可能な沈殿物捕集部とが設けられており、
前記放射線モニタが測定した放射線の値が所定の閾値以上である場合、前記放射線の値が所定の閾値以上である沈殿物の一部の部位を前記沈殿物捕集部で捕集するように構成されていることを特徴とする核分裂性生成物含有物凝縮装置。
【請求項７】
核分裂性生成物を含んでいる核分裂性生成物含有物に水を加えて解砕しスラリを生成する解砕洗浄工程と、
前記水と前記核分裂性生成物含有物とに凝集剤を添加する凝集剤添加工程と、
前記凝集剤添加工程で凝集剤が添加されたスラリ内にマイクロバブルを発生させて浮上物を生成する浮上物生成工程と、
前記浮上物生成工程で生成された浮上物を回収する浮上物回収工程と、
前記凝集剤添加工程での凝集剤の添加によって生成された沈殿物を回収する沈殿物回収工程と、
前記沈殿物回収工程で回収された沈殿物の放射線量を測定する沈殿物放射線量測定工程と、
を有し、前記沈殿物放射線量測定工程で測定をした結果、前記沈殿物の放射線量の値が所定の閾値以上である場合、前記洗浄解砕工程で前記沈殿物を再び解砕してスラリを生成し、前記沈殿物の放射線量の値が所定の閾値未満である場合、前記沈殿物を固形化するように構成されており、
前記スラリの中間層には、前記解砕洗浄工程での解砕によって生成された複数の粒子が前記凝集剤添加工程で添加された凝集剤によって凝集されていることで形成された凝集体であって前記浮上物生成工程で発生したマイクロバブルが付着している凝集体が存在しており、
前記スラリの中間層を回収するスラリ中間層回収工程と、
前記スラリ中間層回収工程で回収したスラリを凝縮するスラリ中間層凝縮工程と、
前記スラリ中間層凝縮工程で凝縮されたスラリから、フィルタを用いて前記凝集体を除去する凝集体フィルタ除去工程と、
を有することを特徴とする核分裂性生成物含有物凝縮方法。
【発明の詳細な説明】
【技術分野】
【０００１】
本発明は、核分裂性生成物含有物凝縮装置および核分裂性生成物含有物凝縮方法に関する。
【背景技術】
【０００２】
平成２３年３月１１日に発生した東北地方太平洋沖地震に伴う原子力発電所の事故により、セシウム１３７等の放射性物質が放出され、広い地域で土壌が汚染されている。放射性物質によって汚染された汚染土壌はこの近くに居住する人間を外部被曝させる。また、汚染土壌によって生育した植物を人間が食したり、その植物を動物が食し、人間がその動物の肉を食すれば、その人間は内部被曝する。そして、外部被曝や内部被曝によって人間の健康が損なわれる。
【０００３】
従来、重金属によって汚染された汚染土壌を除染するための除染プラントまたは除染方法として、たとえば、特許文献１、特許文献２に記載されているものを掲げることができる。
【先行技術文献】
【特許文献】
【０００４】
【特許文献１】特開２００４−１４１７８３号公報
【特許文献２】特開２０００−３２５９３６号公報
【発明の概要】
【発明が解決しようとする課題】
【０００５】
しかし、放射性物質によって汚染された汚染土壌の除染をするための装置や方法は知られていない。
【０００６】
上述した原子力発電所の事故により汚染された区域では、市町村単位で除染作業が進められている。環境省では、除染作業で集められた汚染土壌を一時的に貯蔵する中間貯蔵施設の建設を福島県に打診している。今後、中間貯蔵施設の収容能力や中間貯蔵後の最終処分場への移送処理等を勘案すると、汚染土壌の減容化をする（放射性物質を凝縮する）ことが重要である。
【０００７】
また、福島県下の一般家庭での除染の現実は、低汚染土壌を集積して庭先に穴を掘ってその上に３０ｃｍの土壌を被せて一時保管を行っている状況にある。しかしながら、これらを最終的に回収するための制度が現在存在しない。なぜなら中間貯蔵施設への汚染土壌受入れ基準が１０万Ｂｑ／ｋｇ以上と規定されているからである。現状では除染後の一般住民は低線量土壌の回収を信じて待っている状態である。従って、これら一般住民住居からの放射能汚染土壌の完全回収のためには、低線量土壌を上記受入れ基準以上に高濃縮化できる処理施設・性能が要求される。
【０００８】
本発明は、上記実情に鑑みてなされたものであり、放射性物質によって汚染された汚染土壌等を減容化することができる核分裂性生成物含有物凝縮装置および核分裂性生成物含有物凝縮方法を提供することを目的とする。
【課題を解決するための手段】
【０００９】
請求項１に記載の発明は、核分裂性生成物を含んでいる核分裂性生成物含有物に水を加えて解砕しスラリを生成する解砕洗浄槽と、前記スラリに凝集剤を添加する凝集剤添加部と、前記凝集剤添加部で凝集剤が添加されたスラリが入れられる浮揚槽と、前記浮揚槽に入っているスラリ内にマイクロバブルを発生させて浮上物を生成するマイクロバブル発生部と、前記浮揚槽内に生成された浮上物を回収する浮上物回収部とを有する核分裂性生成物含有物凝縮装置である。
【００１０】
請求項２に記載の発明は、請求項１に記載の核分裂性生成物含有物凝縮装置において、前記浮上物回収部で回収された浮上物を固形化する浮上物固形化部を有する核分裂性生成物含有物凝縮装置である。
【００１１】
請求項３に記載の発明は、請求項２に記載の核分裂性生成物含有物凝縮装置において、前記浮上物固形化部で固形化された浮上物を乾燥し焼結固化する浮上物乾燥・焼結固化部を有する核分裂性生成物含有物凝縮装置である。
【００１２】
請求項４に記載の発明は、請求項１〜請求項３のいずれか１項に記載の核分裂性生成物含有物凝縮装置において、前記凝集剤添加部での凝集剤の添加によって前記浮揚槽内に生成された沈殿物を回収する沈殿物回収部と、前記沈殿物回収部で回収された沈殿物の放射線量を測定する沈殿物放射線量測定部とを有し、前記沈殿物放射線量測定部で測定をした結果、前記沈殿物の放射線量の値が所定の閾値以上である場合、前記沈殿物を前記解砕洗浄槽に再び入れ、前記沈殿物の放射線量の値が所定の閾値未満である場合、前記沈殿物を固形化するように構成されている核分裂性生成物含有物凝縮装置である。
【００１３】
請求項５に記載の発明は、請求項１〜請求項４のいずれか１項に記載の核分裂性生成物含有物凝縮装置において、前記浮揚槽のスラリの中間層には、前記解砕洗浄槽での解砕によって生成された複数の粒子が前記凝集剤添加部で添加された凝集剤によって凝集されていることで形成された凝集体であって前記マイクロバブル発生部が発生したマイクロバブルが付着している凝集体が存在しており、前記浮揚槽内のスラリの中間層を回収するスラリ中間層回収部と、前記スラリ中間層回収部で回収したスラリを凝縮するスラリ中間層凝縮部と、前記スラリ中間層凝縮部で凝縮されたスラリから、フィルタを用いて前記凝集体を除去する凝集体フィルタ除去部とを有する核分裂性生成物含有物凝縮装置である。
【００１４】
請求項６に記載の発明は、請求項４または請求項５に記載の核分裂性生成物含有物凝縮装置において、前記浮揚槽内には水中ロボットが設けられており、前記水中ロボットには、前記沈殿物の一部の部位が発する放射線の値を測定する放射線モニタと、前記沈殿物の一部の部位を捕集可能な沈殿物捕集部とが設けられており、前記放射線モニタが測定した放射線の値が所定の閾値以上である場合、前記放射線の値が所定の閾値以上である沈殿物の一部の部位を前記沈殿物捕集部で捕集するように構成されている核分裂性生成物含有物凝縮装置である。
【００１５】
請求項７に記載の発明は、核分裂性生成物を含んでいる核分裂性生成物含有物に水を加えて解砕しスラリを生成する解砕洗浄工程と、前記水と前記核分裂性生成物含有物とに凝集剤を添加する凝集剤添加工程と、前記凝集剤添加工程で凝集剤が添加されたスラリ内にマイクロバブルを発生させて浮上物を生成する浮上物生成工程と、前記浮上物生成工程で生成された浮上物を回収する浮上物回収工程と、前記凝集剤添加工程での凝集剤の添加によって生成された沈殿物を回収する沈殿物回収工程と、前記沈殿物回収工程で回収された沈殿物の放射線量を測定する沈殿物放射線量測定工程とを有し、前記沈殿物放射線量測定工程で測定をした結果、前記沈殿物の放射線量の値が所定の閾値以上である場合、前記洗浄解砕工程で前記沈殿物を再び解砕してスラリを生成し、前記沈殿物の放射線量の値が所定の閾値未満である場合、前記沈殿物を固形化するように構成されており、前記スラリの中間層には、前記解砕洗浄工程での解砕によって生成された複数の粒子が前記凝集剤添加工程で添加された凝集剤によって凝集されていることで形成された凝集体であって前記浮上物生成工程で発生したマイクロバブルが付着している凝集体が存在しており、前記スラリの中間層を回収するスラリ中間層回収工程と前記スラリ中間層回収工程で回収したスラリを凝縮するスラリ中間層凝縮工程と前記スラリ中間層凝縮工程で凝縮されたスラリから、フィルタを用いて前記凝集体を除去する凝集体フィルタ除去工程とを有する核分裂性生成物含有物凝縮方法である。
【発明の効果】
【００１６】
本発明によれば、放射性物質によって汚染され除染作業で集積された汚染土壌等を減容化することができるという効果を奏する。
【図面の簡単な説明】
【００１７】
【図１】本発明の実施形態に係る核分裂性生成物含有物凝縮装置の概略構成を示す図である。
【図２】土壌粒子の拡散状況と粒度分布を示す図である。
【図３】浮上物、スラリの中間層の凝集体、沈殿物の拡散状況と粒度分布を示す図である。
【図４】高分子凝集剤の構造を示す図である。
【図５】図３で得られた粒度分布の各構成粒子比とピーク比との関係を示す図である。
【図６】浮上物、スラリの中間層の凝集体、沈殿物を示す模式図である
【図７】浮上物、スラリの中間層の凝集体、沈殿物それぞれの粒子径分布と、マイクロバブル泡径との関係を示す図である。
【図８】浮上物、スラリの中間層の凝集体、沈殿物それぞれの回収結果を示す図である。
【図９】解砕洗浄前後における汚染土壌粒度分布の変化とそのときの汚染土壌粒子別の放射能汚染分布を示す図である。
【発明を実施するための形態】
【００１８】
本発明の実施形態に係る核分裂性生成物含有物凝縮装置（放射性汚染物質凝縮装置；核分裂性生成物含有物減容化装置）１は、図１で示すように、解砕洗浄槽３と凝集剤添加部５と浮揚槽７とマイクロバブル発生部９と浮上物回収部１１とを備えて構成されている。
【００１９】
解砕洗浄槽３は、核分裂性生成物（核分裂によって生成された放射性物質）を含んでいる核分裂性生成物含有物（たとえば、汚染土壌、汚染物の焼却灰）１３に水を加えて解砕しスラリを生成するようになっている。
【００２０】
すなわち、水１２と核分裂性生成物含有物１３とが解砕洗浄槽３内に入れられるようになっている。解砕洗浄槽３には、たとえば攪拌部１５が設けられている。攪拌部１５は、羽根１７を備えて構成されており、この羽根１７が解砕洗浄槽３内に入り図示しないモータ等のアクチュエータで回転することで、攪拌部１５による攪拌がなされるようになっている。攪拌部１５によって、水１２と核分裂性生成物含有物１３とが攪拌され、核分裂性生成物含有物１３が解砕され、スラリ１９が生成されるようになっている。
【００２１】
凝集剤添加部５は、たとえば、解砕洗浄槽３に入っているスラリ１９に凝集剤２１を添加するようになっている。
【００２２】
なお、凝集剤添加部５による凝集剤２１の添加は、攪拌部１５による攪拌前、攪拌部１５による攪拌中等の適宜時期になされるようになっている。
【００２３】
浮揚槽７内には、凝集剤添加部５で凝集剤２１が添加されたスラリ１９が入れられるようになっている。なお、凝集剤２１入りスラリ１９の、解砕洗浄槽３から浮揚槽７への移送は、図示しないポンプ等の移送装置を用いて行われるようになっているが、高低差を利用してなされるようになっていてもよい。
【００２４】
また、凝集剤添加部５による凝集剤２１のスラリ１９への添加を、解砕洗浄槽３で行うことに代えてもしくは加えて、浮揚槽７で行うようにしてもよい。
【００２５】
マイクロバブル発生部９は、浮揚槽７の内部に入っているスラリ１９内にマイクロバブル２３を発生させて浮上物（汚染土壌等の凝集浮遊体）２５を生成するようになっている。
【００２６】
マイクロバブル発生部９は、圧縮ガス（たとえば圧縮空気）１０を所定のノズルからスラリ１９内に吐出することで、マイクロバブル２３を発生するようになっている。
【００２７】
なお、浮上物（浮上凝集体）２５は、解砕された核分裂性生成物含有物１３の複数の粒子２７が凝集剤２１によってある程度の大きさに凝集されているものにマイクロバブル２３が付着していることで、生成されている（図６（ａ）、（ｄ）参照）。浮上物２５を構成している粒子２７は、この粒径が１０μｍ以下のものが多い。そして、凝集剤２１によって凝集されている各粒子２７が、これに付着しているマイクロバブル２３の浮力によって、浮揚槽７内で浮上している。
【００２８】
また、粒子２７の径を、たとえば、１つの粒子２７における最大径としてもよいし最小径としてよいし平均粒径としてもよい。粒子２７の平均粒径を、１つの粒子２７における最大径と最小径との中間値としてもよいし、１つの粒子２７の体積を「Ｖ」として、式「Ｖ＝（４π／３）×（ｄ／２）３」を用いてもとめた「ｄ」を平均粒径をとしてもよい。
【００２９】
浮上物回収部１１は、浮揚槽７内に生成された浮上物（浮揚槽７内で浮上しスラリ１９の上部で浮いている浮上物）２５を回収するようになっている。この回収は、浮上物２５をたとえば細かいメッシュの網（図示せず）を用いて掬い上げることでなされるようになっている。
【００３０】
浮揚槽７内のスラリ１９の深さは、たとえば３ｍから５ｍ程度になっているが、５ｍ以上になっていてもよい。
【００３１】
浮揚槽７の内部は、第１の部位２９と第２の部位３１と第３の部位３３と第４の部位３５とに別れている。第１の部位２９〜第４の部位３５は、スラリ１９が流れる方向で上流から下流に向かって、この順にならんでいる。すなわち、解砕洗浄槽３で生成されたスラリ１９は、第１の部位２９に入れられる。第１の部位２９に入ったスラリ１９は、後述するスラリ中間層回収部６７による回収等によって第４の部位３５側に向かい流れるようになっている。
【００３２】
マイクロバブル発生部９は、第１の部位２９内のスラリ１９に、発生したマイクロバブル２３を供給するようになっている。
【００３３】
第１の部位２９と第２の部位３１との間は、細かいメッシュの網で形成された仕切り板３７で仕切られており、第１の部位２９から第２の部位３１へのマイクロバブル２３の移動が阻止されるようになっている。第２の部位３１と第３の部位３３との間の上部は、仕切り板３９で仕切られており、第２の部位３１から第３の部位３３への浮上物２５の移動が阻止されるようになっている。第３の部位３３と第４の部位３５ととの間の下部は、仕切り板４１で仕切られており、第３の部位３３から第４の部位３５への沈殿物（詳細は後述する沈殿物）４３の移動が阻止されるようになっている。
【００３４】
浮上物回収部１１は、たとえば、浮揚槽７の第２の部位３１で浮上物２５を回収するようになっている。
【００３５】
また、核分裂性生成物含有物凝縮装置１には、浮上物固形化部４５と浮上物乾燥・焼結固化部４９とが設けられている。
【００３６】
浮上物固形化部４５では、浮上物回収部１１で回収された浮上物２５を固形化するようになっている。固形化された浮上物４７では、マイクロバブルが飛んで無くなっており、マイクロバブルが存在していない。
【００３７】
浮上物固形化部４５では、たとえばフィルタプレス（株式会社石垣製のＩＳＤ型やＩＳＦ型のフィルタプレス）を用いて、浮上物２５を濾して浮上物２５から水を除去するようになっている。なお、この除去された水を、解砕洗浄槽３に再び入れて使用してもよい。
【００３８】
浮上物乾燥・焼結固化部４９では、浮上物固形化部４５で固形化された浮上物４７を乾燥し、この固形化され乾燥した浮上物４７を焼結固化するようになっている。焼結固化された浮上物５１は陶器のようになる。
【００３９】
さらに説明すると、固形化された浮上物（乾燥前のケーク）４７内の水分量は数１０ｗｔ．％であることから、（１）１００℃程度の低温でまず含有水分を完全に除去し、（２）その後ホットプレスにより焼結剤を用いない自己焼結法により安定固化させる。その際の、焼結温度は核分裂生成物含有鉱物（例えばモルデナイト）の分解温度以下でかつ１３７Ｃｓ蒸発温度以下の６００℃以下で、かつ加圧は５〜５０ｋｇ／ｃｍ２×数時間とし、焼結密度１．５ｇ／ｃｍ３以上の円筒焼結体生成をその目標にする。焼結体（焼結固化された浮上物）５１はその後、長期保存用キャニスター（ＳＵＳ３１６製等の高耐食性外筒ならびにインナー遮蔽性）に封入され中間貯蔵施設に移設管理される。
【００４０】
また、核分裂性生成物含有物凝縮装置１には、沈殿物回収部（浮上物固形化部４５とは別の沈殿物回収部）５３と沈殿物放射線量測定部５５とが設けられている。
【００４１】
沈殿物回収部５３は、凝集剤添加部５での凝集剤２１の添加によって浮揚槽７内に生成された（浮揚槽７内で沈殿した）沈殿物（スラリ１９の底に沈殿した沈殿物）４３を、浮上物２５の場合と同様に細かいメッシュの網等を用い、浮揚槽７の第２の部位３１で回収するようになっている。
【００４２】
沈殿物放射線量測定部５５は、沈殿物回収部５３で回収された沈殿物（沈殿凝集体）４３の放射線量を測定するようになっている。
【００４３】
そして、沈殿物放射線量測定部５５で測定をした結果、沈殿物４３の放射線量の値が所定の閾値（第１の閾値）以上（たとえば、１００Ｂｑ／ｋｇ以上）である場合、沈殿物４３を解砕洗浄槽３に再び入れて、スラリ１９を生成するように構成されている。
【００４４】
なお、沈殿物４３も浮上物２５と同様に構成されているが、図６（ｃ）で示すように、沈殿物４３を構成している粒子２７の粒径は、浮上物２５を構成している粒子２７の粒径よりも大きくなっている。沈殿物４３を構成している粒子２７では、粒径が１００μｍ程度のものの割合が多くなっている。これにより、図６（ｆ）で示すように、マイクロバブル２３が付着していても、凝集している粒子２７が浮揚槽７内で沈殿するようになっている。
【００４５】
また、核分裂性生成物含有物凝縮装置１には、沈殿物固形化部５９が設けられている。沈殿物固形化部５９も、浮上物固形化部４５と同様に、たとえばフィルタプレスを用いて、沈殿物４３を濾して沈殿物４３から水を除去するようになっている。なお、この除去された水を、解砕洗浄槽３に再び入れて使用してもよい。ただし、沈殿物固形化部５９として、浮上物固形化部４５とは異なる別体のフィルタプレスが使用される。
【００４６】
そして、沈殿物放射線量測定部５５で測定をした結果、沈殿物４３の放射線量の値が所定の閾値（第１の閾値）未満である場合、再生土壌として再利用するために、沈殿物固形化部５９により、沈殿物４３を固形化するようになっている。
【００４７】
なお、沈殿物回収部５３では、一度に総ての沈殿物４３を回収するのではなく、沈殿物４３の一部の所定量を回収するようになっている。そして、沈殿物放射線量測定部５５では、沈殿物回収部５３で回収された所定量の沈殿物４３の放射線量を測定するうになっている。
【００４８】
これにより、沈殿物回収部５３での回収がされる毎に、沈殿物放射線量測定部５５で放射線量が測定され、沈殿物回収部５３での回収がされた所定量の沈殿物４３の解砕洗浄槽３への再投入もしくは固形化がなされるようになっている。
【００４９】
固形化された沈殿物６１には、固形化された浮上物４７と同様に、マイクロバブルが存在していない。
【００５０】
浮揚槽７内のスラリ１９の中間層（浮上物２５と沈殿物４３との間に存在している中間層）６３には、凝集体（中間層凝集体）６５が存在している。
【００５１】
凝集体６５は、解砕洗浄槽３での解砕によって生成された複数の粒子２７が凝集剤添加部５で添加された凝集剤２１によって凝集されていることで形成されている（図６（ｂ）参照）。また、凝集体６５には、マイクロバブル発生部９で発生したマイクロバブル２３が付着している（図６（ｅ）参照）。
【００５２】
凝集体６５も、浮上物２５や沈殿物４３と同様に構成されている。ただし、スラリ１９の中間層６３の凝集体６５を構成している粒子２７は、粒径が６０μｍ程度のものの割合が多くなっている。そして、マイクロバブル２３が付着していることで、マイクロバブル２３が付着している凝集体６５の比重が水とほぼ等しくなっており、マイクロバブル付き凝集体６５が浮揚槽７内のスラリ１９の中間層６３に存在している。
【００５３】
また、核分裂性生成物含有物凝縮装置１には、スラリ中間層回収部６７とスラリ中間層凝縮部７３と凝集体フィルタ除去部７５とが設けられている。
【００５４】
スラリ中間層回収部６７は、たとえば、循環ポンプ６９を備えて構成されており、スラリ中間層回収部６７は、浮揚槽７内のスラリ１９の中間層６３を回収するようになっている。
【００５５】
スラリ中間層凝縮部７３は、スラリ中間層回収部６７で回収したスラリ１９の中間層６３をたとえば加熱部７１で加熱して、スラリ１９から水を分離し、スラリ１９を凝縮するようになっている。
【００５６】
凝集体フィルタ除去部７５は、スラリ中間層凝縮部７３で凝縮されたスラリ１９から、フィルタを用いて凝集体６５を除去するようになっている。
【００５７】
なお、スラリ中間層凝縮部７３で凝縮されたスラリ１９の中間層６３に含まれていた凝集体６５には、固形化された浮上物４７や固形化された沈殿物６１と同様に、マイクロバブルが存在していない。
【００５８】
スラリ中間層凝縮部７３での凝縮によってスラリ１９から分離された水は、解砕洗浄槽３に再び入れられて使用されるように構成されている。なお、スラリ中間層凝縮部７３での凝縮によってスラリ１９から分離された水を、解砕洗浄槽３に再び入れて使用することに代えてもしくは加えて、マイクロバブル２３の生成に使用するように構成されていてもよい。
【００５９】
また、凝集体フィルタ除去部７５で得られた凝集体（マイクロバブルが取れてしまっている凝集体）６５を、浮上物固形化部４５等の凝集体固形化部で固形化するようにしてもよい。
【００６０】
さらに、上記凝集体固形化部で固形化された凝集体６５を乾燥し、固形化され乾燥した凝集体６５を、浮上物乾燥・焼結固化部４９等の凝集体乾燥・焼結固化部で焼結固化するようにしてもよい。
【００６１】
また、核分裂性生成物含有物凝縮装置１に、水中ロボット７７を設けてもよい。水中ロボット７７は、浮揚槽７内（第２の部位３１）に設置され、沈殿物４３上を走行可能になっている。
【００６２】
水中ロボット７７には、放射線モニタ７９と沈殿物捕集部８１とが設けられている。放射線モニタ７９は、沈殿物４３のうちの一部の部位が発する放射線の値を測定するようになっている。沈殿物捕集部８１は、沈殿物４３の一部の部位を捕集可能になっている。
【００６３】
そして、水中ロボット７７は、放射線モニタ７９が測定した放射線の値が所定の閾値（第１の閾値よりも大きい第２の閾値）以上である場合、放射線の値が所定の閾値以上である沈殿物４３の一部の部位を沈殿物捕集部８１で捕集するように構成されている。
【００６４】
なお、水中ロボット７７に、マイクロバブル照射部が設けられていてもよい。そして、放射線モニタ７９が測定した放射線の値が所定の閾値（第２の閾値）以上である場合、放射線の値が所定の閾値以上であった沈殿物４３の一部の部位に、上記マイクロバブル照射部からマイクロバブルを照射して沈殿物４３の一部の部位を浮かせ、この浮かせた部位を沈殿物捕集部８１で捕集するようにしてもよい。
【００６５】
また、上記浮かせた部位を沈殿物捕集部８１で捕集することなく、浮上させて浮上物２５としてもよい。さらに、水中ロボット７７に凝集剤供給部を設けもよい。そして、この凝集剤供給部から、放射線の値が所定の閾値以上であった沈殿物４３の一部の部位に凝集剤を供給し、沈殿物を凝集した後、マイクロバブル照射部からマイクロバブルを照射して沈殿物の一部の部位を浮かせもよい。
【００６６】
また、水中ロボット７７で捕集された沈殿物４３の一部の部位を、浮上物固形化部４５等の凝集体固形化部等の水中ロボット回収沈殿物固形化部（浮揚槽７や水中ロボット７７とは別個に設けられている回収沈殿物固形化部）で固形化するようにしてもよい。
【００６７】
さらに、上記水中ロボット回収沈殿物固形化部で固形化された沈殿物４３の一部の部位を乾燥し、この固形化され乾燥したものを浮上物乾燥・焼結固化部４９等の水中ロボット回収沈殿物乾燥・焼結固化部（浮揚槽７や水中ロボット７７とは別個に設けられている回収沈殿物乾燥・焼結固化部）で焼結固化するようにしてもよい。
【００６８】
次に、核分裂性生成物含有物凝縮装置１の動作を説明する。
【００６９】
まず、解砕洗浄槽３で、水１２が加えられた核分裂性生成物含有物１３を解砕してスラリ１９を生成するとともに、水１２と核分裂性生成物含有物１３とに凝集剤添加部５で凝集剤２１を添加する。
【００７０】
続いて、浮揚槽７で、凝集剤２１が添加されたスラリ１９内にマイクロバブル発生部９からマイクロバブル２３を発生して浮上物２５を生成し、浮上物回収部１１で、浮上物２５を回収する。
【００７１】
続いて、回収された浮上物２５を浮上物固形化部４５で固形化し、固形化された浮上物４７を、浮上物乾燥・焼結固化部４９で乾燥し焼結固化する。この焼結固化された浮上物５１は、中間貯蔵施設等の貯蔵施設８３で貯蔵される。
【００７２】
また、浮揚槽７内で沈殿物回収部５３により沈殿物４３を回収し、この回収した沈殿物の放射線量を沈殿物放射線量測定部５５で測定する。
【００７３】
そして、沈殿物放射線量測定部５５で測定をした結果、沈殿物４３の放射線量の値が所定の閾値（第１の閾値）以上である場合、解砕洗浄槽３で沈殿物４３を再び解砕してスラリ１９を生成する。
【００７４】
一方、沈殿物放射線量測定部５５で測定をした結果、沈殿物４３の放射線量の値が所定の閾値（第１の閾値）未満である場合、沈殿物４３を沈殿物固形化部５９で固形化する。この固形化された沈殿物６１は、再生土壌として利用される。
【００７５】
また、スラリ中間層回収部６７により、浮揚槽７内のスラリ１９の中間層を回収し、この回収したスラリ１９を、スラリ中間層凝縮部７３で凝縮し、この凝縮したスラリから、フィルタを用いて凝集体６５を除去する。
【００７６】
次に、試験結果を示す。
【００７７】
福島県双葉郡内の小学校校庭内の土壌の放射能汚染状況を調査したところ、セシウム１３７等の放射性物質のほとんどが、汚染土壌の粒径１０μｍ以下の粒子に含まれていることがわかった。
【００７８】
そこで、次に示すような模擬試験を実施した。
【００７９】
採集土壌を乾燥後２００μｍの篩により分級した土壌粒子で水槽１／２容量（３５Ｌ）の水に粒度調整した土壌３０ｇを混合攪拌して、濃度５００ｍｇ／Ｌの試料原水（スラリ）作った。図２に、試料原水中の模擬汚染土壌粒子の拡散状況と粒度分布を示す。
【００８０】
図２からわかるように、分散粒子は平均粒径１０μｍと１００μｍとの両ピークを有している。
【００８１】
上記スラリに凝集剤２１（たとえば、カチオン系凝集剤、株式会社石垣製のイシフロック強カチオンＩＣＡ６０９ＵＬ）を適宜添加するとともに、マイクロバブルを発生させた。マイクロバブル発生装置として、ＴｙｐｅＢＵ―５１Ａ―２１９５−６０加圧空気供給型、ポンプ攪拌方式、正圧せん断型ものを使用し、ノズルとして、７５０×１０５０×４３０ｍｍを使用した。
【００８２】
上記スラリに凝集剤を添加しマイクロバブルを発生させることで、スラリに浮上物と沈殿物とが生成されるとともに、浮上物と沈殿物との間に中間層（中層）が生成された。
【００８３】
図３は、浮上物を構成している土壌粒子、中間層の凝集体を構成している土壌粒子、沈殿物を構成している土壌粒子の拡散状況と粒度分布とを示す図である。図３に示す（ａ）は浮上物のものであり、（ｂ）は中間層のものであり、（ｃ）は沈殿物のものである。
【００８４】
図３によると、浮上物（ａ）では平均粒径３０μｍのものが１０μｍ粒子を同伴させて浮上物を形成していることがわかる。しかしながら両粒径における構成比は図２に示すものとは異なり、１０μｍ級粒子に対する３０μｍ粒子の構成割合が高くなっている。
【００８５】
これに対して、中間層（ｂ）では平均粒径６０μｍのものが１０μｍ粒子を同伴させて浮上物を形成していることがわかる。しかしながら両粒径における構成比は図２に示すものとは異なり、１０μｍ粒子に対する６０μｍ粒子の構成割合が低くなっている。
【００８６】
沈殿物（ｃ）は、図２に示すものと同様な粒度分布を示しているが、１０μｍの粒子と１００μｍの粒子との構成比において、１０μｍの粒子の減少が見られた。これは、水面上における浮上物の生成および中間層における凝集体の生成において、１０μｍの粒子が選択的に凝集されたことを意味している。
【００８７】
ところで、水に懸濁している放射能汚染土壌粒子のうち、大きさが１０μｍ程度以上のものであれば普通沈殿やろ過法で分離することができるが、０．００１μｍ〜１μｍ以下の水和圏を有するコロイド分散粒子を回収することは極めて難しい。
【００８８】
一方、コロイド粒子化している分散粒子に対して、ＡｌやＦｅなどの正電荷の大きい多価陽イオンの無機凝集剤を添加すると電化の小さいＮａ＋などを押しのけて水和圏を縮退・消滅させて粒子間凝結を生じさせることができる。さらに、この状態の溶液に長い鎖状の分子構造を有する水溶性高分子を加えることにより結合力の強いフロックを形成することができる。
【００８９】
本試験で使用した凝集剤（高分子凝集剤）は上記原理を使用したもので、図４に示す構造を有する。凝集剤の凝集機能として吸着活性基であるカルボキシル基とアミド基による粒子吸着と粒子間架橋結合を利用している。
【００９０】
凝集剤の高分子は通常水溶液中ではランダムコイル状態にあるが粒子に吸着する場合、高分子の一部が粒子表面に吸着し、残りの部分はループ状にのびた吸着状態で活性基による粒子吸着が正電気的結合および水素結合によって生じる。このため、凝集剤による粒子凝集特性から本試験で用いた凝集剤に吸着粒径依存性があるものと考えられる。そこで、図５に、図３で得られた粒度分布の各構成粒子比（ｄ１：ｄ２）とピーク比（Ｐ１：Ｐ２）との関係を示す。
【００９１】
図５を参照すると、ｄ１／ｄ２比の増加、すなわち、浮上物、凝集体、沈殿物の粒子の最大粒径ｄ２の増大に伴い、粒子の固着表面積・体積が増加することにより、ｄ１粒子（最小粒径の粒子）の同伴割合は通常増加する傾向（図５の実線）を示すが、構成粒径比が７以上になると図５に破線で示すように減少した。これは、凝集剤の粒子取り込み粒径に限界があることを示している。
【００９２】
図６（ａ）、（ｂ）、（ｃ）に粒径により凝集剤に取り込まれる土壌粒子と捕獲粒子間との凝集過程を模式的に示す。
【００９３】
浮上物の場合（図６（ａ）参照）、図３の（ａ）で示す粒径分布から比較的近い粒径同士間での凝集剤（図６中の凹）による凝集で構成粒子比が低い。これに対して、中間層の凝集体（図６（ｂ）参照）では、粒径が二極分化するとともに小粒径側の構成比率が相対的に高い。一方、沈殿物（図６（ｃ）参照）においては、二極分化のうち粗大粒径のものは凝集剤捕獲粒径限界を越えるため、小粒子を凝集させている凝集剤との結合は希薄であるものと考えられる。
【００９４】
凝集剤により凝集化された粒子はいずれも強カチオン系凝集剤を使用しているので正帯電していることになる。一方、マイクロバブルはその表面が負電荷で帯電していることから、図６（ｄ）、（ｅ）、（ｆ）で示すように、図６（ａ）、（ｂ）、（ｃ）で示すものに対して、マイクロバブルがクーロン力により図６（ａ）、（ｂ）、（ｃ）で示すもののまわりに付着することになる。
【００９５】
図６（ｄ）、（ｅ）、（ｆ）で示すものが浮上するか否かは、凝集体の重量と付着しているマイクロバブルの浮力とのバランスによって決定される。この結果、浮上物の場合は、図６（ａ）で示すように、比較的粒径が近く、全体重量が軽いもの、中間層の凝集体のように二分極化して凝集体重量の大きなもので浮上が起こり得るものと考えられる。一方、沈殿物に関しては、正電荷の凝集剤による凝集があまり起こっていないので、マイクロバブルによる浮力不足で沈降したものと考えられる。
【００９６】
この試験で発生させたマイクロバブルの泡径（２４μｍ±１２μｍ）と浮上物等とに関係があるものと考えられる。そこで、図７に、浮上物、中間層の凝集体、沈殿物の粒径分布とマイクロバブルの泡径との関係を示す。
【００９７】
図７によると、浮上物（図７（ａ）参照）の場合の土壌粒径群と泡径とはほぼ等価であることがわかる。中間層の凝集体（図７（ｂ）参照）では、土壌粒径群の最大粒径が泡径の２．５倍である。一方、沈殿物（図７（ｃ）参照）の場合の最大粒径は泡径の４倍以上であることから、マイクロバブルによる浮上が可能な最大粒径は泡径の２．５倍以下であると考えられる。
【００９８】
ここで、放射性物質を多く含んでいる、粒径が１０μｍの汚染土壌粒子の回収率を、図８を用いて説明する。
【００９９】
重量比割合は、各粒径密度が一定であるものとして各流動分布面積比率（図３参照）と粒子体積割合とを掛けてもとめた。また、各粒径別濃度はこの重量比割合と容積濃度を掛けることでもとめた。
【０１００】
図８によると、スラリ中の粒径１０μｍ以下の濃度１．４９２ｍｇ／Ｌに対して、回収された中間層の凝集体中の土壌粒子濃度ならびに浮上物中の土壌粒子濃度がそれぞれ１．０３ｍｇ／Ｌおよび０．３５９ｍｇ／Ｌであることから、放射性物質を多く含む１０μｍ以下の粒子の回収率は約９３％（＝（１．０３＋０．３５９）／（１．４９２））であると考えられる。
【０１０１】
福島県内の高濃度汚染土壌の解砕洗浄実験において、図９で示すように、解砕洗浄後における汚染土壌粒度分布の変化とその際の汚染土壌粒子別の放射能汚染分布を調べた。
【０１０２】
これによると、３７，６５８Ｂｑ／ｋｇの汚染土壌が解砕洗浄後１００μｍ以下に解砕されるとともに主要な汚染源は放射能汚染土壌粒子が７０μｍ以下で、特に３５μｍ以下に集中していることがわかる。
【０１０３】
このことから、解砕洗浄後の凝集剤とナノバブルとによる凝集浮揚効果により、７０μｍ以下の微粒子を選択的に回収でき、汚染土壌粒子の９０％以上の回収が可能になる。
【０１０４】
核分裂性生成物含有物凝縮装置１によれば、放射性物質を多く含んでいる浮上物２５を浮上物回収部１１で回収等することで、放射性物質によって汚染された汚染土壌（たとえば除染作業で集積された汚染土壌）等の核分裂性生成物含有物を減容化することができる。すなわち、放射性物質をたとえば１０万ｂｑ／ｋｇの高濃度まで濃縮することができる。
【０１０５】
また、水が加えられた核分裂性生成物含有物１３を解砕してスラリ１９を生成する解砕洗浄槽３と、スラリ１９に凝集剤２１を添加する凝集剤添加部５と、凝集剤添加部５で凝集剤２１が添加されたスラリ１９が入れられる浮揚槽７と、浮揚槽７に入っているスラリ１９内にマイクロバブル２３を発生させて浮上物２５を生成するマイクロバブル発生部９と、浮揚槽７内に生成された浮上物２５を浮上物回収部１１とで、核分裂性生成物含有物凝縮装置１が構成されているので、装置の構成が簡素化されており、装置の製造コストとランニングコストとを低く抑えることができる。
【０１０６】
すなわち、高価な解砕洗浄装置や分級装置等の専用特殊機器を用いることなく、解砕洗浄槽３や浮揚槽７等の低価格もので核分裂性生成物含有物凝縮装置１が構成されているので、装置のコストを下げることができる。
【０１０７】
また、汚染土壌の処理量が限定的な高速回転装置等の装置を用いていることなく、解砕洗浄槽や浮揚槽等の連続的に汚染土壌の処理をすることができるものを用いて核分裂性生成物含有物凝縮装置１が構成されているので、汚染土壌の処理能力を高めることができる。
【０１０８】
さらに、専用特殊機器を用いていることなく解砕洗浄槽３や浮揚槽７等の構成が簡素なもので構成されていることで、核分裂性生成物含有物凝縮装置１では、故障が発生しにくく、作業者の被曝や汚染拡大を防止することができる。
【０１０９】
また、核分裂性生成物含有物凝縮装置１により、放射性物質を高濃度まで濃縮することで、中間貯蔵施設等の保管施設のコンパクト化することができ、また、一般家庭で仮保管している除染低放射性濃度汚染土壌を回収し、核分裂性生成物含有物凝縮装置１で高濃度・減容化することにより中間貯蔵施設に保管することができ、一般生活環境から放射性汚染物質を一掃することができる。
【０１１０】
また、核分裂性生成物含有物凝縮装置１によれば、放射性物質が解砕洗浄槽３や浮揚槽７のスラリ１９内に存在していることで、スラリ１９の水によって放射性物質から出る放射線が遮られ、作業者の被曝を防止することができる。
【０１１１】
また、核分裂性生成物含有物凝縮装置１によれば、浮上物固形化部４５によって浮上物２５を固形化するので、汚染土壌等を一層減容化することができる。
【０１１２】
また、核分裂性生成物含有物凝縮装置１によれば、浮上物乾燥・焼結固化部４９によって浮上物２５を乾燥し焼結固化するので、減容化された汚染土壌が陶器のようになる。これにより、放射性物質が飛散しなくなり、減容化された汚染土壌の保管がしやすくなる。
【０１１３】
また、減容化された汚染土壌に水分が含まれていると、この水分に放射線が照射されて水分子が分解され、酸化力の強いＯＨラジカルや還元力をもつ水和電子などが生成され、貯蔵に適さなくなる。そこで、浮上物乾燥・焼結固化部４９によって浮上物２５を乾燥し焼結固化することで、水分を除去して、水分子が分解されることをなくしている。
【０１１４】
また、核分裂性生成物含有物凝縮装置１によれば、沈殿物放射線量測定部５５で測定をした結果、沈殿物４３の放射線量の値が所定の閾値（第１の閾値）以上であるときに、沈殿物４３を解砕洗浄槽３に再び入れるように構成されているので、解砕不十分等で生成された沈殿物４３での放射性物質の取り残しを防ぐことができる。
【０１１５】
また、核分裂性生成物含有物凝縮装置１によれば、沈殿物放射線量測定部５５で測定をした結果、沈殿物４３の放射線量の値が所定の閾値（第１の閾値）未満であるときに、沈殿物固形化部５９で沈殿物４３を固形化するので、固化した沈殿物６１を再生土壌として再利用することができる。
【０１１６】
また、核分裂性生成物含有物凝縮装置１によれば、凝集体フィルタ除去部７５により、スラリ中間層凝縮部７３で凝縮されたスラリからフィルタを用いて放射性物質を多く含む凝集体を除去するので、汚染土壌を効率良く減容化することができる。
【０１１７】
また、核分裂性生成物含有物凝縮装置１によれば、スラリ中間層凝縮部７３での凝縮によってスラリから分離された水を、解砕洗浄槽３に再び入れて使用し、また、マイクロバブル２３の生成に使用しているので、水を循環させて無駄なく使用することができる。
【０１１８】
また、核分裂性生成物含有物凝縮装置１によれば、水中ロボット７７の放射線モニタが測定した放射線の値が所定の閾値（第２の閾値）以上である場合、放射線の値が所定の閾値以上である沈殿物の一部の部位を沈殿物捕集部で捕集するように構成されているので、沈殿物４３に分布している放射性のレベルが高い部位を的確に取り除くことができる。
【０１１９】
ところで、放射性物質の拡散を防止するために、核分裂性生成物含有物凝縮装置１およびこの施設の全域を空調管理されたテントないし建屋内に収納し、全域を管理区域内設定するべきである。また、作業時の粉じん対策として放射性・防塵フィルタの設置も必要になる。
【０１２０】
また、固形化された沈殿物６１は、放射性物質の含有濃度が１００Ｂｑ／ｋｇ未満ではあるものの、依然として放射性物質を含んでいる。そこで、混合処理装置（図示せず）を設け、この混合処理装置によって、固形化された沈殿物６１と通常土壌とを混合し、放射性物質の濃度をさらに低減化することが望ましい。これにより、固形化された沈殿物６１を再利用することができる。
【０１２１】
なお、通常土壌は、通常汚染土壌表面から数１０ｃｍ以下の土壌から得られるが、核分裂性生成物含有物凝縮装置１を設置するための掘削等により発生する土壌を利用してもよい。
【０１２２】
また、上記説明では、沈殿物放射線量測定部５５と、水中ロボット７７の放射線モニタ７９とで放射線量を測定しているが、他のところにも、放射線量測定部を設けるべきである。
【０１２３】
すなわち、放射線計測システムとして、汚染土壌受入れ（上流）から洗浄、固化、再生土壌処理全工程における放射性濃度計測結果を集約できるものであり処理土壌量ならびに放射線量の物量管理を徹底して行う必要があることから、全処理工程ごとの計測ならびに総量計測を可能とするものにすべきである。
【０１２４】
さらに、作業時の被ばく管理（個人被ばく等）・ならびに施設内・外拡散を監視するための管理モニタ施設（モニタリング施設）も建屋内・外に設けるべきである。また、処理中の管理以外に濃縮固化された焼結体の長期追跡調査可能な管理システムの構築をすべきである。
【０１２５】
なお、上述したものを方法の発明として把握してもよい。
【０１２６】
すなわち、核分裂性生成物を含んでいる核分裂性生成物含有物に水を加えて解砕しスラリを生成する解砕洗浄工程と、前記水と前記核分裂性生成物含有物とに凝集剤を添加する凝集剤添加工程と、前記凝集剤添加工程で凝集剤が添加されたスラリ内にマイクロバブルを発生させて浮上物を生成する浮上物生成工程と、前記浮上物生成工程で生成された浮上物を回収する浮上物回収工程とを有する核分裂性生成物含有物凝縮方法（放射性汚染物質凝縮方法；核分裂性生成物含有物減容化方法）として把握してもよい。
【０１２７】
そして、前記核分裂性生成物含有物凝縮方法において、前記浮上物回収工程で回収された浮上物を固形化する浮上物固形化工程を有することとしてもよい。
【０１２８】
また、前記核分裂性生成物含有物凝縮方法において、前記浮上物固形化工程で固形化された浮上物を乾燥し、焼結固化する浮上物乾燥・焼結固化工程を有することとしてもよい。
【０１２９】
また、上記核分裂性生成物含有物凝縮方法において、前記凝集剤添加工程での凝集剤の添加によって生成された沈殿物を回収する沈殿物回収工程と、前記沈殿物回収工程で回収された沈殿物の放射線量を測定する沈殿物放射線量測定工程とを有し、前記沈殿物放射線量測定工程で測定をした結果、前記沈殿物の放射線量の値が所定の閾値（第１の閾値）以上である場合、前記洗浄解砕工程で前記沈殿物を再び解砕してスラリを生成するように構成されていることとしてもよい。
【０１３０】
また、前記核分裂性生成物含有物凝縮方法において、前記沈殿物放射線量測定工程で測定をした結果、前記沈殿物の放射線量の値が所定の閾値（第１の閾値）未満である場合、前記沈殿物を固形化する沈殿物固形化工程を有することとしてもよい。
【０１３１】
また、前記核分裂性生成物含有物凝縮方法において、前記スラリの中間層には、前記解砕洗浄工程での解砕によって生成された複数の粒子が前記凝集剤添加工程で添加された凝集剤によって凝集されていることで形成された凝集体であって前記浮上物生成工程で発生したマイクロバブルが付着している凝集体が存在しており、前記スラリの中間層を回収するスラリ中間層回収工程と、前記スラリ中間層回収工程で回収したスラリを凝縮するスラリ中間層凝縮工程と、前記スラリ中間層凝縮工程で凝縮されたスラリから、フィルタを用いて前記凝集体を除去する凝集体フィルタ除去工程とを有することとしてもよい。
【０１３２】
また、前記核分裂性生成物含有物凝縮方法において、前記沈殿物の一部の部位が発する放射線の値を測定する放射線モニタと前記沈殿物の一部の部位を捕集可能な沈殿物捕集部とが設けられている水中ロボットを用い、前記放射線モニタが測定した放射線の値が所定の閾値（第１の閾値よりも大きい第２の閾値）以上である場合、前記放射線の値が所定の閾値以上である前記沈殿物の一部の部位を前記沈殿物捕集部で捕集する沈殿物捕集工程を有することとしてもよい。
【符号の説明】
【０１３３】
１  核分裂性生成物含有物凝縮装置
３  解砕洗浄槽
５  凝集剤添加部
７  浮揚槽
９  マイクロバブル発生部
１１  浮上物回収部
１３  核分裂性生成物含有物
１９  スラリ
２１  凝集剤
２３  マイクロバブル
２５  浮上物
４３  沈殿物
４５  浮上物固形化部
４７  固形化された浮上物
４９  浮上物乾燥・焼結固化部
５３  沈殿物回収部
５５  沈殿物放射線量測定部
５９  沈殿物固形化部
６３  スラリの中間層
６５  凝集体
６７  スラリ中間層回収部
７３  スラリ中間層凝縮部
７５  凝集体フィルタ除去部
７７  水中ロボット
【図１】
2015152333.tif 000003
【図２】
2015152333.tif 000004
【図３】
2015152333.tif 000005
【図４】
2015152333.tif 000006
【図５】
2015152333.tif 000007
【図６】
2015152333.tif 000008
【図７】
2015152333.tif 000009
【図８】
2015152333.tif 000010
【図９】
2015152333.tif 000011